【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
可変表示を行い表示結果を導出表示する可変表示手段にあらかじめ定められた特定表示結果が導出表示されたときに、遊技者にとって有利な有利状態に制御する遊技機であって、
可変表示に関する情報を保留記憶情報として記憶する保留記憶手段と、
前記保留記憶手段に記憶されている保留記憶情報の各々に対応して所定の表示態様により保留表示を表示する保留表示手段と、
可変表示の表示結果を前記特定表示結果とするか否かを決定する事前決定手段と、
前記事前決定手段による決定結果にもとづいて、可変表示の制御を行う可変表示制御手段と、
前記事前決定手段の決定前に、可変表示の表示結果が前記特定表示結果となるか否かを判定する特定判定手段と、
前記特定判定手段による判定結果にもとづいて、前記保留記憶手段に記憶されている保留記憶情報にもとづく可変表示の表示結果が前記特定表示結果となる可能性を該保留記憶情報に対応する保留表示を通常態様とは異なる表示態様に変化させて表示することにより  予告する予告演出を実行する予告演出実行手段と、
保留表示の表示態様が変化することを示唆する第１示唆演出と前記第１示唆演出とは異なる第２示唆演出の何れかを実行可能な示唆演出実行手段とを備え、
前記予告演出実行手段は、
前記保留表示手段によって表示されている保留表示のうちのいずれの保留表示の表示態様を変化させて表示するかによって可変表示の表示結果が前記特定表示結果となる可能性を異なる期待度により予告する予告演出を実行可能であり、
前記保留表示手段によって表示されている保留表示のうちに前記通常態様とは異なる表示態様で表示されている保留表示があるか否かに応じて、異なる割合で示唆演出を実行し、
実行される可能性がある複数種類の特定演出を予告する特殊演出を実行する特殊演出実行手段をさらに備え、
前記特殊演出実行手段は、前記特殊演出の実行後に実行される前記特定演出の種類に応じて、異なる実行時間により特殊演出を実行する、遊技機。
【手続補正２】
【補正対象書類名】明細書
【補正対象項目名】０００９
【補正方法】変更
【補正の内容】
【０００９】
（手段Ａ）上記目的を達成するため、本発明の遊技機は、可変表示を行い表示結果を導出表示する可変表示手段にあらかじめ定められた特定表示結果が導出表示されたときに、遊技者にとって有利な有利状態に制御する遊技機であって可変表示に関する情報を保留記憶情報として記憶する保留記憶手段と、前記保留記憶手段に記憶されている保留記憶情報の各々に対応して所定の表示態様により保留表示を表示する保留表示手段と、可変表示の表示結果を前記特定表示結果とするか否かを決定する事前決定手段と、前記事前決定手段による決定結果にもとづいて、可変表示の制御を行う可変表示制御手段と、前記事前決定手段の決定前に、可変表示の表示結果が前記特定表示結果となるか否かを判定する特定判定手段と、前記特定判定手段による判定結果にもとづいて、前記保留記憶手段に記憶されている保留記憶情報にもとづく可変表示の表示結果が前記特定表示結果となる可能性を該保留記憶情報に対応する保留表示を通常態様とは異なる表示態様に変化させて表示することにより予告する予告演出を実行する予告演出実行手段と、保留表示の表示態様が変化することを示唆する第１示唆演出と前記第１示唆演出とは異なる第２示唆演出の何れかを実行可能な示唆演出実行手段とを備え、前記予告演出実行手段は、前記保留表示手段によって表示されている保留表示のうちのいずれの保留表示の表示態様を変化させて表示するかによって可変表示の表示結果が前記特定表示結果となる可能性を異なる期待度により予告する予告演出を実行可能であり、前記保留表示手段によって表示されている保留表示のうちに前記通常態様とは異なる表示態様で表示されている保留表示があるか否かに応じて、異なる割合で示唆演出を実行し、実行される可能性がある複数種類の特定演出を予告する特殊演出を実行する特殊演出実行手段をさらに備え、前記特殊演出実行手段は、前記特殊演出の実行後に実行される前記特定演出の種類に応じて、異なる実行時間により特殊演出を実行する、遊技機。
（１）可変表示（例えば、第１特別図柄や第２特別図柄、演出図柄の変動表示）を行い表示結果を導出表示する可変表示手段にあらかじめ定められた特定表示結果（例えば、大当り図柄）が導出表示されたときに、遊技者にとって有利な有利状態（例えば、大当り遊技状態）に制御する遊技機であって、可変表示に関する情報を保留記憶情報（例えば、第１保留記憶や第２保留記憶）として記憶する保留記憶手段（例えば、第１保留記憶バッファや第２保留記憶バッファ）と、前記保留記憶手段に記憶されている保留記憶情報の各々に対応して所定の表示態様により保留表示を表示する保留表示手段（例えば、合算保留記憶表示部１８ｃ）と、可変表示の表示結果を前記特定表示結果とするか否かを決定する事前決定手段（例えば、遊技制御用マイクロコンピュータ５６０がステップＳ６１，Ｓ６２，Ｓ７３を実行する部分）と、前記事前決定手段による決定結果にもとづいて、可変表示の制御を行う可変表示制御手段（例えば、演出制御用マイクロコンピュータ１００がステップＳ１８１３，Ｓ１８４５を実行する部分）と、前記事前決定手段の決定前に、前記保留記憶手段に記憶されている保留記憶情報にもとづく可変表示の表示結果が前記特定表示結果となるか否かを判定する特定判定手段（例えば、遊技制御用マイクロコンピュータ５６０がステップＳ１２１７，Ｓ１２２８を実行する部分）と、前記特定判定手段による判定結果にもとづいて、前記保留記憶手段に記憶されている保留記憶情報にもとづく可変表示の表示結果が前記特定表示結果となる可能性を該保留記憶情報に対応する保留表示を通常態様とは異なる表示態様（例えば、特殊態様や第１特別態様、第２特別態様）に変化させて表示することにより予告する予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）とを備え、前記予告演出実行手段は、前記保留表示手段によって表示されている保留表示のうちのいずれの保留表示の表示態様を変化させて表示するか（例えば、いずれのシフトタイミングで保留表示を変化させて表示するか）によって可変表示の表示結果が前記特定表示結果となる可能性を異なる期待度により予告する予告演出を実行可能であり（例えば、演出制御用マイクロコンピュータ１００が、最終表示態様と先読み演出パターンとにもとづいて、変化タイミングを決定する先読み演出決定処理（ステップＳ６７１，Ｓ６７１０８）を実行する部分と、先読み演出決定処理の決定結果にもとづいて、ステップＳ１８１３，Ｓ１８４５を実行する部分。図３５〜図３８参照）、前記保留表示手段によって表示されている保留表示のうちに前記通常態様とは異なる表示態様で表示されている保留表示があるか否かに応じて、異なる割合で示唆演出を実行し、実行される可能性がある複数種類の特定演出を予告する特殊演出を実行する特殊演出実行手段をさらに備え、前記特殊演出実行手段は、前記特殊演出の実行後に実行される前記特定演出の種類に応じて、異なる実行時間により特殊演出を実行する。